(57)【要約】【課題】本発明は空気清浄装置に関するもので、フィルターの着脱を容易にすることができるものである。【解決手段】本体ケース３内に設けた空気清浄手段１２と、吸気口１０から吸い込んだ空気を空気清浄手段１２を介して排気口４へ送風する送風手段１４と、吸気口１０の一部を覆う前面化粧板１とを備え、空気清浄手段１２は、吸気口１０に備えられたフィルター装着部２３と、フィルター装着部２３に着脱可能に設けられた集じんフィルター部１３と、フィルター固定部２４は、フィルター装着部の上部に設けられた第１のフィルター固定部２５と、前面化粧板１の下部に設けられた第２のフィルター固定部２６とを備えた構成にしたことにより、前面化粧板１を着脱する動作で、第２のフィルター固定部２６を同時に動かすことができるため、集じんフィルター部１３の着脱作業が容易にすることができる。【選択図】図２
2018054192.tif 000002
【特許請求の範囲】
【請求項１】
吸気口と排気口を有する本体ケースと、
前記本体ケース内に設けた空気清浄手段と、
前記吸気口から吸い込んだ空気を前記空気清浄手段を介して前記排気口へ送風する送風手段と、
前記吸気口の一部を覆う前面化粧板とを備え、
前記空気清浄手段は、
前記吸気口に備えられたフィルター装着部と、
前記フィルター装着部に着脱可能に設けられた集じんフィルター部と、
前記集じんフィルター部を前記フィルター装着部に固定するフィルター固定部とを備え、
前記集じんフィルター部は前記前面化粧板に対向し、
前記フィルター固定部は、
前記フィルター装着部の上部に設けられた第１のフィルター固定部と、
前記前面化粧板の下部に設けられた第２のフィルター固定部とを備えたことを特徴とする空気清浄装置。
【請求項２】
前記第２のフィルター固定部と前記集じんフィルター部とは所定の距離を有し、
前記第２のフィルター固定部と前記集じんフィルター部との所定の距離、および前記第２のフィルター固定部と前記フィルター装着部との距離は、
前記集じんフィルター部における前記集じんフィルター部の着脱方向の寸法より短いことを特徴とする請求項１に記載の空気清浄装置。
【請求項３】
前記第２のフィルター固定部は、
前記前面化粧板の内面における左右縁の２ヶ所に分かれて存在することを特徴とする請求項１または２に記載の空気清浄装置。
【請求項４】
前記集じんフィルター部は、
前記フィルター装着部より前記前面化粧板方向へ移動し、前記第２のフィルター固定部に接する状態でも、前記送風手段を動かすことによって、前記第２のフィルター固定部と前記集じんフィルターとは所定の距離を有することを特徴とする請求項１から３のいずれかに記載の空気清浄装置。
【発明の詳細な説明】
【技術分野】
【０００１】
本発明は、空気を浄化することのできる空気清浄装置に関するものである。
【背景技術】
【０００２】
従来、この種の空気清浄装置の構成は以下のようになっていた（例えば、特許文献１参照）。
【０００３】
以下、その空気清浄装置について図８を参照しながら説明する。図８に示すように、吸気口１０１と排気口を有する本体ケース１０２と、この吸気口１０１に設けたフィルター装着部１０３と、このフィルター装着部１０３に着脱可能に設けられたフィルター部１０４と、フィルター部１０４をフィルター装着部１０３に固定するフィルター固定部１０５とを備えている。フィルター固定部１０５は、フィルター装着部１０３に回転自在に設けられており、まずフィルター装着部１０３にフィルター部１０４を装着し、次にフィルター固定部１０５を回転させると、フィルター部１０４がフィルター固定部１０５に引っかかる構成となっていた。
【先行技術文献】
【特許文献】
【０００４】
【特許文献１】特開２０１３−０２４４２８号公報
【発明の概要】
【発明が解決しようとする課題】
【０００５】
このような従来の空気清浄装置においては、フィルター固定部が回転可能な部品にて構成されていたので、集じんフィルターを掃除する際の集塵フィルターを着脱時にフィルター固定部を動かす必要があり、作業性が悪かった。また、フィルター固定部のサイズが大きい場合、集じんフィルターの一部を覆うこととなり、通過風路面積が狭くなることで、性能の低下を招くという課題を有していた。
【０００６】
そこで、本発明は、上記従来の課題を解決するものであり、フィルター固定部が別部品に設けられた状態で構成することで、フィルター固定部を単独で動かす作業を無くすことで、フィルターの着脱を容易にしたものであり、フィルター固定部がフィルターの表面に接しない構造とすることで、性能の低下を招かない空気清浄機を提供することを目的とする。
【課題を解決するための手段】
【０００７】
そして、この目的を達成するために、吸気口と排気口を有する本体ケースと、前記本体ケース内に設けた空気清浄手段と、前記吸気口から吸い込んだ空気を前記空気清浄手段を介して前記排気口へ送風する送風手段と、前記吸気口の一部を覆う前面化粧板とを備え、前記空気清浄手段は、前記吸気口に備えられたフィルター装着部と、前記フィルター装着部に着脱可能に設けられた集じんフィルター部と、前記集じんフィルター部を前記フィルター装着部に固定するフィルター固定部とを備え、前記フィルター固定部は、フィルター装着部の上部に設けられた第１のフィルター固定部と、前記前面化粧板の下部に設けられた第２のフィルター固定部とを備えた構成にしたものであり、これにより所期の目的を達成するものである。
【発明の効果】
【０００８】
本発明によれば、吸気口と排気口を有する本体ケースと、前記本体ケース内に設けた空気清浄手段と、前記吸気口から吸い込んだ空気を前記空気清浄手段を介して前記排気口へ送風する送風手段と、前記吸気口の一部を覆う前面化粧板とを備え、前記空気清浄手段は、前記吸気口に備えられたフィルター装着部と、前記フィルター装着部に着脱可能に設けられた集じんフィルター部と、前記集じんフィルター部を前記フィルター装着部に固定するフィルター固定部とを備え、前記集じんフィルター部は前記前面化粧板に対向し、前記フィルター固定部は、フィルター装着部の上部に設けられた第１のフィルター固定部と、前記前面化粧板の下部に設けられた第２のフィルター固定部とを備えた構成にしたものである。
【０００９】
すなわち、集じんフィルター部をフィルター装着部に装着することで、フィルター装着部の上部に設けられた第１のフィルター固定部で集じんフィルター部の上部が固定され、集じんフィルター部に対向する位置に前面化粧板を装着することで、前面化粧板の下部に設けられた第２のフィルター固定部で集じんフィルター部の下部が固定できる。
【００１０】
これにより、前面化粧板を取り付ける動作により、集じんフィルター部がフィルター装着部に第２のフィルター固定部により固定されるため、集じんフィルター部の取り外し作業が容易となる。一方、前面化粧板を取り外す動作により、第２のフィルター固定部による集じんフィルター部のフィルター装着部への固定が外されるため、集じんフィルターの取付け作業が容易となる。つまり、前面化粧板の着脱作業により、第２のフィルター固定部の着脱作業が同時に実施されることとなるため、第２のフィルター固定部により固定されている集じんフィルターの着脱作業が容易となるものである。
【図面の簡単な説明】
【００１１】
【図１】本発明の実施の形態１の空気清浄装置の斜視図
【図２】同空気清浄装置の分解図
【図３】同空気清浄装置の断面図
【図４】同空気清浄装置の前面化粧板の斜視図
【図５】同空気清浄装置の第２の固定部を示す斜視図
【図６】同空気清浄装置の上部支持部を示す斜視図
【図７】同空気清浄装置の下部支持部を示す斜視図
【図８】従来の空気清浄装置の分解図
【発明を実施するための形態】
【００１２】
本発明に係る空気清浄装置は、吸気口の一部を覆う前面化粧板と、吸気口に備えられたフィルター装着部と、前記フィルター装着部に着脱可能に設けられた集じんフィルター部と、前記集じんフィルター部を前記フィルター装着部に固定するフィルター固定部とを備え、前記フィルター固定部は、前記フィルター装着部の上部に設けられた第１のフィルター固定部と、集じんフィルター部と対向する前面化粧板の下部に設けられた第２のフィルター固定部とを備える構成である。
【００１３】
すなわち、集じんフィルター部をフィルター装着部に装着することで、フィルター装着部の上部に設けられた第１のフィルター固定部で集じんフィルター部の上部が固定され、集じんフィルター部に対向する位置に前面化粧板を装着することで、前面化粧板の下部に設けられた第２のフィルター固定部で集じんフィルター部の下部が固定できる。
【００１４】
これにより、前面化粧板を取り付ける動作により、集じんフィルター部がフィルター装着部に第２のフィルター固定部により固定されるため、集じんフィルター部の取り外し作業が容易となる。一方、前面化粧板を取り外す動作により、第２のフィルター固定部による集じんフィルター部のフィルター装着部への固定が外されるため、集じんフィルターの取付け作業が容易となる。つまり、前面化粧板の着脱作業により、第２のフィルター固定部の着脱作業が同時に実施されることとなるため、第２のフィルター固定部により固定されている集じんフィルターの着脱作業が容易となるものである。
【００１５】
また、第２のフィルター固定部と集じんフィルター部とは所定の距離を有し、第２のフィルター固定部と集じんフィルター部との所定の距離、および前記第２のフィルター固定部と前記フィルター装着部との距離は、集じんフィルター部における集じんフィルターの着脱方向の寸法より短いことを特徴とする構成にしてもよい。
【００１６】
第２のフィルター固定部とフィルター装着部との距離が、集じんフィルター部の着脱方向の寸法より短いため、本体を移動することなどによる振動により集じんフィルター部がフィルター装着部より前面化粧板方向へ移動しても、集じんフィルター部が第２のフィルター固定部とフィルター装着部との隙間より落下することがないため、空気清浄装置の本体の取り回しが容易となる。さらに、第２のフィルター固定部と集じんフィルター部とは所定の距離を有することで、第２のフィルター固定部の前面化粧板から集じんフィルター部側へ飛び出す寸法が小さくなる。これにより、取り外した前面化粧板を取り扱う際に、第２のフィルター固定部をどこかへ引っ掛ける可能性が低下し、前面化粧板の取り回しが容易になるという効果を奏する。
【００１７】
また、前記第２のフィルター固定部は、前面化粧板の内面における左右縁の２ヶ所に分かれて存在する構造としてもよい。これにより集じんフィルター部を第２のフィルター固定部で固定する場所が複数個所となるため、集じんフィルター部固定時の重量が分散されるため、１点で支える場合と比較し、集じんフィルター部の変形が生じる危険性が減少することで、集じんフィルター部および前面化粧板の取り扱いが容易となる。
【００１８】
また、前記集じんフィルター部は、フィルター装着部より前面化粧板方向へ移動し、第２のフィルター固定部に接する状態でも、本体ケース内にあり吸気口から吸いこんだ空気を排気口へ送風する送風手段を動かすことによって、第２のフィルター固定部と集じんフィルターとは所定の距離を有する構造としてもよい。本体を移動することなどによる振動により集じんフィルター部がフィルター装着部より前面化粧板方向へ移動しても、送風手段を動かすことで、第２のフィルター固定部と集じんフィルターとは所定の距離を有する状態なるため、前記化粧板を外して、集じんフィルター部を第２のフィルター固定部と集じんフィルターとは所定の距離を有する状態へ動かす必要がないため、送風手段運転時に集じんフィルター部の位置を確認する必要が無くなり、運転が容易になる。
【００１９】
以下、本発明の実施の形態について図面を参照しながら説明する。
【００２０】
（実施の形態１）
図１は、本発明の実施の形態１の空気清浄装置の斜視図である。図１は、空気清浄装置が停止している状態を示す図である。図２は、本発明の実施の形態１の空気清浄装置の分解図である。図２は、空気清浄装置から前面化粧板１を外した状態を示す図である。図３は、本発明の実施の形態１の空気清浄装置の断面図である。図３は、空気清浄装置の風向板２である、第１の風向板７と第２の風向板８を回動させ、第１の排気口５と第２の排気口６が全開した状態を示す図である。
【００２１】
図１、２、３に示すように、本実施の形態の空気清浄装置は、略箱形状の本体ケース３を備えている。本体ケース３の天面には排気口４を備え、本体ケース３の前面には吸気口１０を備え、この吸気口１０を覆うように前面化粧板１を備えている。
【００２２】
排気口４は、本体ケース３の天面における前面側に第１の排気口５と、本体ケース３の天面における背面側に第２の排気口６とを備えている。第１の排気口５には、上下方向に回動する第１の風向板７と、第２の排気口６には、上下方向に回動する第２の風向板８とを備えている。これらの第１の風向板７と、第２の風向板８との回動方向によって、後述する送風手段１４によって送風される空気の吹出し方向が決まる。
【００２３】
吸気口１０には、四角筒形状のフィルター装着部２３を備えている。フィルター装着部２３には、空気清浄手段１２が装着されている。
【００２４】
前面化粧板１は、縦長四角形の板形状で、本体ケース３の前面と隙間１０Ａを有して設けられている。この隙間１０Ａが、吸気口１０と連通している。
【００２５】
図３に示すように、吸気口１０と排気口４とを連通する風路１１には、吸気口１０側から順に、空気清浄手段１２、加湿手段９、送風手段１４を設けている。送風手段１４によって、吸気口１０から本体ケース３内に吸込まれた空気は、空気清浄手段１２、加湿手段９、送風手段１４を介して、排気口４から本体ケース３外へ送風される。
【００２６】
空気清浄手段１２は縦長箱形状の集じんフィルター部１３で、濾材が蛇腹形状に折られたものであり、吸気口１０の風路風下側で、前面化粧板１に対向する位置に設けられている。
【００２７】
加湿手段９は、空気清浄手段１２の風路風下側に設けており、水槽１５と、加湿フィルター部１６と、加湿フィルター枠部１７と、回転手段１８とを備えている。水槽１５は、略椀形状で、内部に水タンク（図示せず）から一定量の水が供給される。加湿フィルター部１６は、円板状で、水槽の水に周縁部の一部が常に浸漬している。加湿フィルター枠部１７は、略円環形状で、加湿フィルター部１６を固定し、水槽１５に回転自在に装着されている。回転手段１８によって、加湿フィルター枠部１７が、加湿フィルター部１６と共に回転するものである。
【００２８】
送風手段１４は、スクロール形状おケーシング部１９と、ケーシング部１９に固定されたモータ部２０と、モータ部２０によって回転する羽根部２１とを備えている。
【００２９】
このような構成における空気清浄および、加湿動作について説明する。
【００３０】
停止状態で、水タンクより水槽１５に常時一定の水位となるように水が供給され、この水に加湿手段９の加湿フィルター部１６の一部が常時浸かった状態となる。
【００３１】
そして、空気清浄装置を運転させると、第１の風向板７と第２の風向板８とを回動することで、排気口４である、第１の排気口５と第２の排気口６が出現する。また、この時、駆動手段によって前面化粧板１を前方へ動かしてもよい。この動きによって、本体ケース３と前面化粧板１との間には、隙間である吸気口１０の面積が広がる。
【００３２】
同時に、回転手段１８によって加湿フィルター枠部１７を回転させることで、加湿フィルター部１６が回転し、加湿フィルター部１６全体を湿らせる。そして、送風手段１４を動かすことにより、吸気口１０から本体ケース３内に空気が吸込まれ、その後、空気は本体ケース３内に備えられた集じんフィルター部１３と、水を保持した状態の加湿フィルター部１６とを通過し加湿清浄空気となり、排気口４から室内に排出される。
【００３３】
図２に示すように、集じんフィルター部１３は、四角筒形状のフィルター装着部２３に着脱可能に設けられ、空気清浄装置は、集じんフィルター部１３をフィルター装着部２３に固定するフィルター固定部２４を備えている。
【００３４】
図４は、本発明の実施の形態１の空気清浄装置の前面化粧板１の斜視図である。前面化粧板１を内面から見た図である。
【００３５】
本実施形態における特徴は、図２、図４に示すように集じんフィルター部１３は前面化粧板１に対向し、フィルター固定部２４は、フィルター装着部２３の上部に設けられた第１のフィルター固定部２５と、前面化粧板１の内面下部に設けられた第２のフィルター固定部２６とを備えたものである。
【００３６】
第１のフィルター固定部２５は、フィルター装着部２３の上部の前面化粧板１側から、フィルター装着部２３内、つまり下方へ延びた２つの突起である。第２のフィルター固定部２６は、前面化粧板１の下部の内面からフィルター装着部２３方向へ延びる２つの突起である。
【００３７】
まず、集じんフィルター部１３をフィルター装着部２３に装着することで、集じんフィルター部１３の上端部が、第１のフィルター固定部２５である２つの突起に引っ掛かり、フィルター装着部２３の上部に設けられた第１のフィルター固定部２５で集じんフィルター部１３の上部が固定される。次に、集じんフィルター部１３に対向する位置に前面化粧板１を装着することで、前面化粧板１の下部に設けられた第２のフィルター固定部２６で集じんフィルター部１３の下部が固定できる。
【００３８】
これにより、前面化粧板１を取り付ける動作により、集じんフィルター部１３がフィルター装着部２３に第２のフィルター固定部２６により固定されるため、集じんフィルター部１３の取り付け作業が容易となる。一方、前面化粧板１を取り外す動作により、第２のフィルター固定部２６による集じんフィルター部１３のフィルター装着部２３への固定が外されるため、集じんフィルター部１３の取り外し作業が容易となる。つまり、前面化粧板１の着脱作業により、第２のフィルター固定部２６の着脱作業が同時に実施されることとなるため、第２のフィルター固定部２６より固定されている集じんフィルター部１３の着脱作業が容易となるものである。
【００３９】
図５は、本発明の実施の形態１の空気清浄装置の前面化粧板１の内面下部の拡大図である。図３、図５に示すように、第２のフィルター固定部２６と集じんフィルター部１３とは所定の距離を有し、第２のフィルター固定部２６と集じんフィルター部１３との所定の距離、および第２のフィルター固定部２６とフィルター装着部２３との距離は、集じんフィルター部１３における集じんフィルター部１３の着脱方向の寸法より短いものである。
【００４０】
これにより、第２のフィルター固定部２６とフィルター装着部２３との距離が、集じんフィルター部１３の着脱方向（集じんフィルター部１３の厚み方向）の寸法より短いため、本体を移動することなどによる振動により集じんフィルター部１３の下部がフィルター装着部２３より前面化粧板１方向へ移動しても、集じんフィルター部１３が第２のフィルター固定部２６とフィルター装着部２３との隙間より落下することがないため、空気清浄装置の本体の移動作業が容易となる。
【００４１】
また、第２のフィルター固定部２６と集じんフィルター部１３とは所定の距離を有しているので、第２のフィルター固定部２６と集じんフィルター部１３との間も風路となり、風路抵抗を抑制できる。
【００４２】
さらに、第２のフィルター固定部２６と集じんフィルター部１３とは所定の距離を有することで、第２のフィルター固定部２６の前面化粧板１から集じんフィルター部１３側へ飛び出す寸法が小さくなる。これにより、取り外した前面化粧板１を取り扱う際に、第２のフィルター固定部２６をどこかへ引っ掛ける可能性が低下し、前面化粧板１の取り回しが容易になるという効果を奏する。
【００４３】
図６は、本発明の実施の形態１の空気清浄装置の上部支持部２７を示す斜視図である。図７は、本発明の実施の形態１の空気清浄装置の下部支持部２８を示す斜視図である。
【００４４】
図６，７に示すように、本体ケース３の前面上部には、前方へ延びた２つの上部支持部２７を備え、本体ケース３の前面下部には、前方へ延びた２つの下部支持部２８を備えている。
【００４５】
上部支持部２７は、断面形状が四角筒形状の棒２９と、この棒２９の両側面から水平方向に突出した半球形状の上部軸３０を備えている。同様に、下部支持部２８は、断面形状が四角筒形状の棒３１と、この棒３１の両側から水平方向に突出した半球形状の下部軸３２を備えている。
【００４６】
図４に示すように、前面化粧板１の内面上部には、上部支持部２７に回動自在に装着できる２つの上部受部３３を設け、前面化粧板１の内面下部には、下部支持部２８に回動自在に装着できる２つの下部受部３４を設けている。
【００４７】
図５に示すように、下部受部３４は前面化粧板１の内面から本体ケース３における内方、および上下方向へ伸び、平行に配置された２枚の板３５と、これら２枚の板３５の面に対して垂直方向に貫通した円形状の孔３６とを備えている。上部受部も同様の形状を備えている（図示せず）。
【００４８】
また、第２のフィルター固定部２６は、略四角形の板形状で、下部受部３４の板３５と接し、前面化粧板１の縁に沿って、鉛直方向伸びたものである。このように、第２のフィルター固定部２６が前面化粧板１の内面における左右縁の２ヶ所に分かれて存在することにより、集じんフィルター部１３を第２のフィルター固定部２６で固定する場所が複数個所となる。これにより、集じんフィルター部１３固定時の重量が分散されるため、１点で支える場合と比較し、集じんフィルター部１３の変形が生じる危険性が減少することで、集じんフィルター部１３および前面化粧板１の取り扱いが容易となる。
【００４９】
なお、集じんフィルター部１３は、フィルター装着部２３より前面化粧板１方向へ移動し、第２のフィルター固定部２６に接する状態でも、送風手段１４を動かすことによって、集じんフィルター部１３が吸い込まれ、フィルター装着部２３に嵌り、第２のフィルター固定部２６と集じんフィルター部１３とは所定の距離を有することができるものである。
【００５０】
これにより、本体を移動することなどによる振動により集じんフィルター部１３がフィルター装着部２３より前面化粧板１方向へ移動しても、送風手段１４を動かすことで、第２のフィルター固定部２６と集じんフィルター部１３とは所定の距離を有する状態となるため、前面化粧板１を外して、集じんフィルター部１３を第２のフィルター固定部２６と集じんフィルター部１３とは所定の距離を有する状態へ動かす必要がないため、送風手段１４運転時に集じんフィルター部１３の位置を確認する必要が無くなり、運転が容易になる。
【産業上の利用可能性】
【００５１】
本発明による空気清浄装置は、フィルター固定部が別部品に設けられた状態で構成することで、フィルター固定部を単独で動かす作業を無くすことで、フィルターの着脱を容易にしたものであり、家庭用や事務所用などの空気清浄装置として活用が期待されるものである。
【符号の説明】
【００５２】
１    前面化粧板
２    風向板
３    本体ケース
４    排気口
５    第１の排気口
６    第２の排気口
７    第１の風向板
８    第２の風向板
９    加湿手段
１０    吸気口
１０Ａ    隙間
１１    風路
１２    空気清浄手段
１３    集じんフィルター部
１４    送風手段
１５    水槽
１６    加湿フィルター部
１７    加湿フィルター枠部
１８    回転手段
１９    ケーシング部
２０    モータ部
２１    羽根部
２３    フィルター装着部
２４    フィルター固定部
２５    第１のフィルター固定部
２６    第２のフィルター固定部
２７    上部支持部
２８    下部支持部
２９    棒
３０    上部軸
３１    棒
３２    下部軸
３３    上部受部
３４    下部受部
３５    板
３６    孔
【図１】
2018054192.tif 000003
【図２】
2018054192.tif 000004
【図３】
2018054192.tif 000005
【図４】
2018054192.tif 000006
【図５】
2018054192.tif 000007
【図６】
2018054192.tif 000008
【図７】
2018054192.tif 000009
【図８】
2018054192.tif 000010